(57)【要約】    【課題】  交換や洗濯が容易であると共に、衣類や寝具に取り付けて衣類や寝具にも絞り部を形成させることのできるカバーを提供する。    【解決手段】    寝具類２の縁部２ａに取り付けられる衣類及び寝具のカバー１において、寝具類の縁部に絞り部７を形成するための引き紐５をカバー１の裏片１ｂから表片１ｆにかけて２本設けて裏片側の各端部５ｂ，５ｂを離間した状態でそれぞれ裏片１ｂに取り付け、各紐５，５を規制手段６，６を経て表片側に導いて表片側の端部５ｆ，５ｆを近接して配置された規制手段の導出部６ｆ，６ｆからそれぞれ導出する。また各紐５，５は、折り返し部３では離間しており、折り返し部と表片側の導出部の間では互いに離れる方向に円弧状にそれぞれ膨らんだ形状となるように規制手段６，６によって経路を規制される。【選択図】      図１
0003103719.tif 000002
【実用新案登録請求の範囲】
【請求項１】
衣類や寝具の縁部を表から裏にかけて覆うように縁部に取り付けられる衣類及び寝具のカバーであって、
衣類や寝具の縁部に絞り部を形成するための引き紐をカバーの裏片から表片にかけて２本設けて裏片側の各端部を離間した状態でそれぞれ裏片に取り付け、各紐を規制手段を経て表片側に導いて表片側の端部を近接して配置された規制手段の導出部からそれぞれ導出すると共に、衣類や寝具の縁部に位置する折り返し部では各紐が離間しており、且つ少なくとも折り返し部と表片側の導出部の間において各紐が互いに離れる方向に円弧状にそれぞれ膨らんだ形状となるように上記規制手段によって紐の経路を規制したことを特徴とする衣類及び寝具のカバー。
【請求項２】
規制手段を裏片側にも設け、各紐の端部の裏片側への取付箇所と折り返し部の間においても各紐が互いに離れる方向に円弧状にそれぞれ膨らんだ形状となるように紐の経路を規制した請求項１記載の衣類及び寝具のカバー。
【請求項３】
引き紐を引いて絞った状態で寝具類に対して固定する保持手段を設けた請求項１又は２に記載の衣類及び寝具のカバー。
【請求項４】
規制手段が所定の間隔を空けて２枚の生地を縫い合わせて形成された紐の通路である請求項１乃至３のいずれかに記載の衣類及び寝具のカバー。
【考案の詳細な説明】
【技術分野】
【０００１】
この考案は、衣類や寝具の縁部を表から裏にかけて覆うように取り付けられ、縁部にくぼんだ絞り部を形成するために用いられるカバーに関するものである。
【背景技術】
【０００２】
布団や毛布の縁部が顎などに当たらないようにしたり、肩の部分の保温性を高めたりするために縁部にくぼみを設けることは、例えば次のような文献によって知られている。
【特許文献１】実開昭６０−１４２６７２号公報
【特許文献２】実開平２−４５０５８号公報
【特許文献３】特開２００２−１７５３７号公報
【特許文献４】特開２００３−２９００１１号公報
【０００３】
上記の特許文献１はゴム帯で縁部を引き寄せて絞り部を形成した襟巻きを毛布に取り付けるようにしたもの、特許文献２は複数個の折り曲げによるひだ山を設けて絞り部を形成し、この状態を縫い込みや接着で保持するようにしたものである。また特許文献３は衿ぐり部を備えた衿カバーを布団カバーに取り付けるようにしたもの、特許文献４はループ状の止め紐などで縁部を巻き込んで絞り部を形成した衿カバーを布団に取り付けるようにしたものである。
【考案の開示】
【考案が解決しようとする課題】
【０００４】
しかしながら、上記の特許文献２のものは布団や毛布などの寝具に直接糸を縫い込んで絞り部を形成するため、加工が面倒であると共に簡単には元に戻すことができず、汚れを防ぐためには別のカバーを取り付ける必要がある。また文献２以外のものは、いずれも寝具はそのままで絞り部を備えた別体のカバーを取り付けているため保温性が劣り、保温性の良い生地をカバーに用いた場合には洗濯が困難になる。
【０００５】
特に、治療中などで患部を寝具から出しておきたい場合、例えば気管切開手術後に肩は寝具から出さないで十分に保温したまま喉のあたりだけを出しておくとか、怪我をした足の指先を出しておくなどの場合には、幅の狭いＶ字状の絞り部では患部などに当たる可能性があるため、絞り部をある程度幅のあるＵ字状とすることが望ましい。しかも引き寄せられてしわになった部分がごろごろした塊となって身体に当たらないようにすることが望ましい。また、このような使用条件では痰や血液などで患部付近が汚れやすいので、容易に交換や洗濯ができるようなカバーを用い、このカバー自体に絞り機能を設けて寝具に取り付けた状態でカバーに絞り部を形成することにより、カバーと共に寝具の縁部を押さえ込んで寝具にも絞り部が形成されるようにすることが望ましい。しかし、上述のような従来例ではこれらの条件を満たすことは困難であり、このような用途には不向きである。
【０００６】
この考案はこれらの点に着目し、交換や洗濯が容易であると共に、衣類や寝具に取り付けて衣類や寝具（以下、これらを総称して寝具類と記す）にも絞り部を形成させることのできるカバーを提供することを課題としてなされたものである。
【課題を解決するための手段】
【０００７】
上記の課題を達成するために、この考案では、寝具類の縁部を表から裏にかけて覆うように取り付けられる衣類及び寝具のカバーにおいて、寝具類の縁部に絞り部を形成するための引き紐をカバーの裏片から表片にかけて２本設けて裏片側の各端部を離間した状態でそれぞれ裏片に取り付け、各紐を規制手段を経て表片側に導いて表片側の端部を近接して配置された規制手段の導出部からそれぞれ導出すると共に、寝具類の縁部に位置する折り返し部では各紐が離間しており、且つ少なくとも折り返し部と表片側の導出部の間において各紐が互いに離れる方向に円弧状にそれぞれ膨らんだ形状となるように上記規制手段によって紐の経路を規制するようにしている。
【０００８】
上記のカバーにおいて規制手段を裏片側にも設け、各紐の端部の裏片側への取付箇所と折り返し部の間においても各紐が互いに離れる方向に円弧状にそれぞれ膨らんだ形状となるようにしてもよい。
【０００９】
この考案のカバーでは、引いて絞った状態の引き紐を寝具類に対して固定する必要がある。このための保持手段は寝具類側に設けてもよいが、これをカバーに設けることもできる。
【００１０】
また上記の規制手段としては、所定の間隔を空けて２枚の生地を縫い合わせて紐の通路を形成することによって得ることができる。
【考案の効果】
【００１１】
この考案によれば、１本だけの引き紐で絞る場合のようなＶ字状にはならず、くぼみの底がある程度幅が広くてゆとりのあるＵ字状の絞り部が得られる。また引き紐を絞った場合には、円弧状の経路で設けられている２本の紐が直線に近い形状となるためカバーの生地が左右から引き寄せられて立体的に盛り上がる余裕が生じ、この部分が寝具類の縁部にできるしわの収容部となって上方に膨らんだ状態となる。このため、寝具類のしわになった部分がごろごろした塊となって身体に当たるようなことがなく、使用心地のよいものが得られる。また、絞り部を形成するための加工を寝具類に直接施す必要はなく、しかも寝具類のカバーとして適した比較的薄い生地を用いることができるので、洗濯や交換が容易である。
【００１２】
また、引き紐の表片側の端部は引いて絞った状態で合体し、あるいは近接させて寝具類に対して固定される必要があり、カバー自身にボタンなどを設けてこれを保持手段とすることができる。あるいは寝具類側に設けたボタンなどを保持手段として利用することができる。このような保持手段により絞られた引き紐を寝具類に固定すると絞られた状態が安定し、例えば布団の上げ下ろしのような激しい取り扱いをしても収容部の形状、従って絞り部の形状が崩れにくくなり、長時間絞り部を所定の形状に保つことができる。
【００１３】
また、カバーに適した薄い生地を２枚重ねにして所定の間隔を空けて縫い合わせたものでは、規制手段を簡単に作ることができる。
【考案を実施するための最良の形態】
【００１４】
以下、この考案の実施例について説明する。図１は展開した状態のカバーの平面図、図２は寝具類に取り付けた状態の平面図、図３は引き紐を絞って絞り部を形成した状態の平面図、図４は絞り部の拡大平面図、図５は絞り部の断面図である。
【実施例】
【００１５】
図において、１はこの考案に係る布製のカバー、２は例えば布団や毛布などの掛け寝具であって、カバー１は鎖線で示す折り返し部３で折り返して寝具２の縁部２ａを表から裏にかけて覆い、周囲に設けた取付手段４（４１，４２，４３等）によって寝具２に取り付けられるようになっている。なお図１は、縁部２ａに取り付けた時に寝具２に接する側、すなわち内側となる面から見た図である。図１において、折り返し部３から上側は寝具２に取り付けた場合に寝具２の裏側、つまり身体に接する側となる裏片１ｂであり、下側は寝具２の表側となる表片１ｆとなっている。
【００１６】
また取付手段４はスナップボタン、面状ファスナ、取付紐等、周知のものを適宜用い、これらをカバー１と寝具２の互いに対応する位置に設けることで構成されており、図のように周辺部の複数箇所に設けられている。４１は４つの角部に、４２は折り返し部３の両端の上下両側に、４３は中心部とその両側にそれぞれ設けられた取付手段を示しており、この例の取付手段４には結合力が高くしかも着脱が容易なスナップボタンが用いられている。なお、中心部の３個の取付手段４３は紐を絞った場合の力に十分耐えられるように相互の間隔を狭くしてある。また、裏片１ｂと表片１ｆの長さ（図１の縦方向の長さ）は裏片１ｂの方を表片１ｆよりも若干長くしてある。これは、特に寝具２が薄い毛布やタオルケットなどの場合に、表側と裏側の取付手段４の位置が重なって大きな凸部を生ずることを防ぐと共に、汚れやすい寝具２の裏側の方を少しでも大きく覆うためである。
【００１７】
５は例えば布製やゴム製の引き紐、６は引き紐５の経路を規制するための規制手段である。この規制手段６は、カバー１の全体を２枚の生地で構成し、あるいは規制手段６を設ける部分を２枚重ねにし、所定の間隔を空けて縫い合わせて２本の縫い目の間を紐の通路としたり、布を細い筒状としたものをカバー１に縫いつけるなどの手段で形成される。図ではカバー１の両面を区別しやすいように後者の筒状のものを内側に縫いつけた例を示しているが、実際には前者のように２枚の生地を用いて所定の間隔を空けて縫い合わせたものの方が作りやすく、またカバー１の表面が滑らかになるので好ましい。
【００１８】
引き紐５，５は裏片１ｂ側の端部５ｂ，５ｂを少し離間させてそれぞれ裏片１ｂに縫い付けや接着で取り付けると共に、規制手段６，６の内部を通して表片１ｆ側に導き、端部５ｆ，５ｆをごく近接した位置に設けられた規制手段６，６の導出部６ｆ，６ｆから表片１ｆ側に導出してある。規制手段６，６は図のように全体としては瓢箪型となっており、折り返し部３では引き紐５，５は離間しており、各紐５の端部５ｂと折り返し部３、及び折り返し部３と導出部６ｆの間で各紐５，５が互いに離れる方向に円弧状にそれぞれ膨らんで湾曲した形状となるように設けられている。なお、引き紐５，５の表側の端部５ｆは各紐５，５ごとに独立したものでもよいのであるが、洗濯した場合などに紐５が規制手段６の中に引っ込んでしまって端部５ｆを取り出せなくなるというトラブルを防止するために、図のように連続したものとしておくことが望ましい。取付手段４３は、紐５の端部５ｂが取り付けられている箇所の近傍と導出部６ｆの近傍にそれぞれ位置している。
【００１９】
カバー１は上述のように構成されており、規制手段６を設けた面を内側にして寝具２の縁部２ａを覆い、取付手段４を対応する寝具２の取付手段にそれぞれ結合することによって、図２に示すように寝具２の縁部２ａに取り付けられる。
【００２０】
図３において、７は図２のようにカバー１を寝具２に取り付けた状態で引き紐５，５の端部５ｆを導出部６ｆ，６ｆから引っ張り出し、紐５，５でカバー１と寝具２の縁部２ａを強く絞ることによって形成された絞り部である。引き出された紐５，５は所定の引っ張り状態となるような位置で端部５ｆに結び目を作り、保持用に設けたボタンや取付手段４３の中央のスナップボタンに引っかけて保持しておくのである。図４は結び目５１ｆを取付手段４３として設けられているボタンに引っかけた例を示している。
【００２１】
こうして形成された絞り部７は、折り返し部３において引き紐５，５が離間していて２箇所で引っ張られる状態になるので、底７ａはＶ字状にはならないで全体としてはある程度幅のあるＵ字状のものとなる。この時、紐５，５の間隔は折り返し部３付近よりも円弧状に膨らんでいる部分の方が広くなっており、紐５，５は円弧状の膨らみに沿って互いに離れる方向に引っ張られるので、底７ａの部分にはたるみが生じにくい。また引っ張られることによって、円弧状に湾曲していた紐５，５は最終的には図４に示すように直線に近い形状となり、導出部６ｆ，６ｆが近接しているのでここで１箇所に合流した状態となって表片１ｆ側ではほぼＶ字状となる。このため２本の紐５，５と底７ａがほぼ３角形となり、この３角形の内部にある生地は、左右から引き寄せられて立体的に盛り上がることのできる余裕のある状態となって、この部分にカップ状の収容部８が生成される。一方、裏片１ｂ側では紐５，５の端部５ｂ，５ｂが離間していて表片１ｆのような３角形は形成されないので、生地が左右から引き寄せられる量は少なく、収容部が生成されるほどの大きな余裕は生じない。
【００２２】
図５の（ａ）は図４のＡ−Ａ線に沿う断面の状態を模式的に示した図、（ｂ）はＢ−Ｂ線に沿う断面の状態を模式的に示した図である。すなわち、カバー１が絞られることによって同時に生じた寝具２のしわの部分２ｂは、図５に示すように上方に膨らんだ状態で収容部８に収まり、下方すなわち身体に接する側にはほとんど突出しないので、しわの部分２ｂがごろごろした感じで身体に当たって不快感を与えることはない。また２本の紐５，５は１点に合流して確実に保持されているので絞られた状態が安定し、この紐５，５と底７ａで形成されるほぼ３角形の部分と上方に膨らんでいる収容部８は形が崩れにくい。このため、寝具２の上げ下ろしを繰り返すなどの激しい取り扱いをしても、収容部８と絞り部７は長時間所定の形状に保たれ、しわの部分２ｂも収容部８に収まったままとなるのである。
【００２３】
上述の説明は、カバー１を布団や毛布などの掛け寝具２の縁部２ａに取り付けて使用する場合の例であり、カバー１のサイズは対象となる寝具２や求められる絞り部７の大きさに応じて選定される。ちなみに布団用のカバーであれば、図１における横幅を１１０cm、縦を８２cmとし、折り返し部３を上から４３cmの位置とし、引き紐５，５の端部５ｂ，５ｂを上から６cmの位置に取り付け、規制手段６，６の導出部６ｆ，６ｆを下から４cmの位置に設けた。また、端部５ｂ，５ｂの距離は９cm、規制手段６，６の中心線の間隔は最も膨らんだ部分で１０cm、折り返し部３で８cmにそれぞれ選定した場合に良好な結果が得られている。
【００２４】
なお、この考案は実施例における掛け寝具用のカバーだけでなく、身につける衣類の衿や裾、袖口など各種の衣類や寝具の縁部に取り付けるカバーに適用することができる。従って、カバーの大きさやカバーと引き紐の素材、規制手段の形状などはその使用箇所に応じて適宜選定すればよく、紐５を引っ張って絞らなければ、通常のカバーとしてそのまま利用できる。また上述の例では、表片１ｆから裏片１ｂにかけて瓢箪型に規制手段６，６を設けているが、場合によっては表片１ｆ側の引き紐５，５の経路のみを外側に膨らんだ形状とし、裏片１ｂ側の紐５，５の経路は直線やこれに近い形状とすることもできる。
【図面の簡単な説明】
【００２５】
【図１】この考案の一実施例の展開した状態の平面図である。
【図２】同実施例を寝具に取り付けた状態の平面図である。
【図３】同実施例の引き紐を引いて絞った状態の平面図である。
【図４】同実施例の絞り部の拡大平面図である。
【図５】同実施例の絞り部の断面図である。
【符号の説明】
【００２６】
１  カバー
１ｆ  表片
１ｂ  裏片
２  寝具
２ａ  縁部
２ｂ  しわの部分
３  折り返し部
４  取付手段
５  引き紐
５ｆ  表片側の端部
５ｂ  裏片側の端部
６  規制手段
６ｆ  導出部
７  絞り部
７ａ  絞り部の底
８  収納部
【図１】
0003103719.tif 000003
【図２】
0003103719.tif 000004
【図３】
0003103719.tif 000005
【図４】
0003103719.tif 000006
【図５】
0003103719.tif 000007